【手続補正書】
【提出日】平成27年6月4日(2015.6.4)
【手続補正１】
【補正対象書類名】明細書
【補正対象項目名】発明の名称
【補正方法】変更
【補正の内容】
【発明の名称】画像処理方法および画像処理装置
【手続補正２】
【補正対象書類名】明細書
【補正対象項目名】０００１
【補正方法】変更
【補正の内容】
【０００１】
本発明は、画像処理方法および画像処理装置に関する。
【手続補正３】
【補正対象書類名】明細書
【補正対象項目名】００１０
【補正方法】変更
【補正の内容】
【００１０】
本発明は以上の点を鑑みてなされたものであり、ノズルからインクが吐出されないことによりノズル周辺のインクが濃縮した場合であっても、インク濃縮の程度に基づき、画像データに対して適切に補正処理を行う画像処理方法および画像処理装置を提供することを目的とする。
【手続補正４】
【補正対象書類名】明細書
【補正対象項目名】００１１
【補正方法】変更
【補正の内容】
【００１１】
そのために本発明では、同色のインクを吐出する複数のノズルを備える記録ヘッドと記録媒体との相対走査により前記記録媒体に画像を記録する記録装置のための画像処理方法であって、前記記録媒体上の第１画素に対応する多値データと、前記複数のノズルのうちの前記第１画素の記録に用いるＮ（Ｎ≧２）個のノズルが前記第１画素と対応するときの前記Ｎ個のノズルのインクの濃縮度合いに関する濃縮値を示す第１パラメータと、を取得する取得工程と、前記取得工程にて取得された前記第１画素に対応する多値データと前記第１パラメータとに基づいて、前記第１画素に対応する補正データを生成する第１生成工程と、前記取得工程にて取得された前記第１パラメータと前記第１生成工程にて生成された前記補正データとに基づいて、前記第１画素に隣接する画素であって、前記第１画素の次に前記Ｎ個のノズルによって記録される第２画素と対応するときの前記Ｎ個のノズルのインクの濃縮度合いに関する濃縮値を示す第２パラメータを生成する第２生成工程と、
を有することを特徴とする。
【手続補正５】
【補正対象書類名】特許請求の範囲
【補正対象項目名】全文
【補正方法】変更
【補正の内容】
【特許請求の範囲】
【請求項１】
同色のインクを吐出する複数のノズルを備える記録ヘッドと記録媒体との相対走査により前記記録媒体に画像を記録する記録装置のための画像処理方法であって、
前記記録媒体上の第１画素に対応する多値データと、前記複数のノズルのうちの前記第１画素の記録に用いるＮ（Ｎ≧２）個のノズルが前記第１画素と対応するときの前記Ｎ個のノズルのインクの濃縮度合いに関する濃縮値を示す第１パラメータと、を取得する取得工程と、
前記取得工程にて取得された前記第１画素に対応する多値データと前記第１パラメータとに基づいて、前記第１画素に対応する補正データを生成する第１生成工程と、
前記取得工程にて取得された前記第１パラメータと前記第１生成工程にて生成された前記補正データとに基づいて、前記第１画素に隣接する画素であって、前記第１画素の次に前記Ｎ個のノズルによって記録される第２画素と対応するときの前記Ｎ個のノズルのインクの濃縮度合いに関する濃縮値を示す第２パラメータを生成する第２生成工程と、
を有することを特徴とする画像処理方法。
【請求項２】
前記第１生成工程において、前記第１画素に対応する多値データと前記第１パラメータとに基づいて補正値が決定され、当該補正値で前記第１画素に対応する多値データを補正することにより前記第１画素に対応する補正データが生成されることを特徴とする請求項１に記載の画像処理方法。
【請求項３】
前記第１生成工程において、前記第１パラメータが示す前記濃縮値が第１の値である場合に生成される前記補正値は、前記第１パラメータが示す前記濃縮値が前記第１の値よりも小さい第２の値である場合に生成される前記補正値よりも大きくなるように、決定されることを特徴とする請求項２に記載の画像処理方法。
【請求項４】
前記第２生成工程において、（ｉ）前記第１生成工程により生成された前記補正データが示す値が第３の値である場合、前記第２パラメータが示す前記濃縮値が前記第１パラメータが示す前記濃縮値よりも小さくなるように、（ｉｉ）前記第１生成工程により生成された前記補正データが示す値が前記第３の値よりも小さい第４の値である場合、前記第２パラメータが示す前記濃縮値が前記第１パラメータが示す前記濃縮値よりも大きくなるように、前記第２パラメータが生成されることを特徴とする請求項１から３のいずれか１項に記載の画像処理方法。
【請求項５】
前記第１生成工程にて生成された前記第１画素に対応する補正データに基づいて、前記Ｎ個のノズルからの前記第１画素へのインクの吐出または非吐出を示す吐出データを生成する第３生成工程を更に有することを特徴とする請求項１から４のいずれか１項に記載の画像処理方法。
【請求項６】
前記第３生成工程により生成された吐出データに基づいて前記記録媒体に画像を記録する記録工程を更に有することを特徴とする請求項５に記載の画像処理方法。
【請求項７】
前記第３生成工程により生成された吐出データは、２値データであることを特徴とする請求項５または６に記載の画像処理方法。
【請求項８】
前記取得工程において、前記第２画素に対応する多値データと、前記第２生成工程にて生成された前記第２画素に対応する前記第２パラメータと、が更に取得され、
前記第１生成工程において、前記取得工程にて取得された前記第２画素に対応する前記多値データと前記第２パラメータとに基づいて、前記第２画素に対応する補正データが更に生成されることを特徴とする請求項１から７のいずれか１項に記載の画像処理方法。
【請求項９】
同色のインクを吐出する複数のノズルを備える記録ヘッドと記録媒体との相対走査により前記記録媒体に画像を記録するための画像処理を行う画像処理装置であって、
前記記録媒体上の第１画素に対応する多値データと、前記複数のノズルのうちの前記第１画素の記録に用いるＮ（Ｎ≧２）個のノズルが前記第１画素と対応するときの前記Ｎ個のノズルのインクの濃縮度合いに関する濃縮値を示す第１パラメータと、を取得する取得手段と、
前記取得手段によって取得された前記第１画素に対応する多値データと前記第１パラメータとに基づいて、前記第１画素に対応する補正データを生成する第１生成手段と、
前記取得手段によって取得された前記第１パラメータと前記第１生成手段によって生成された前記補正データとに基づいて、前記第１画素に隣接する画素であって、前記第１画素の次に前記Ｎ個のノズルによって記録される第２画素と対応するときの前記Ｎ個のノズルのインクの濃縮度合いに関する濃縮値を示す第２パラメータを生成する第２生成手段と、
を有することを特徴とする画像処理装置。
【請求項１０】
前記第１生成手段は、前記第１画素に対応する多値データと前記第１パラメータとに基づいて補正値を決定し、当該補正値で前記第１画素に対応する多値データを補正することにより前記第１画素に対応する補正データを生成することを特徴とする請求項９に記載の画像処理装置。
【請求項１１】
前記第１生成手段は、前記第１パラメータが示す前記濃縮値が第１の値である場合に生成される前記補正値が、前記第１パラメータが示す前記濃縮値が前記第１の値よりも小さい第２の値である場合に生成される前記補正値よりも大きくなるように、前記補正値を決定することを特徴とする請求項１０に記載の画像処理装置。
【請求項１２】
前記第２生成手段は、（ｉ）前記第１生成手段によって生成された前記補正データが示す値が第３の値である場合、前記第２パラメータが示す前記濃縮値が前記第１パラメータが示す前記濃縮値よりも小さくなるように、（ｉｉ）前記第１生成手段によって生成された前記補正データが示す値が前記第３の値よりも小さい第４の値である場合、前記第２パラメータが示す前記濃縮値が前記第１パラメータが示す前記濃縮値よりも大きくなるように、前記第２パラメータを生成することを特徴とする請求項９から１１のいずれか１項に記載の画像処理装置。
【請求項１３】
前記第１生成手段によって生成された前記第１画素に対応する補正データに基づいて、前記Ｎ個のノズルからの前記第１画素へのインクの吐出または非吐出を示す吐出データを生成する第３生成手段を更に有することを特徴とする請求項９から１２のいずれか１項に記載の画像処理装置。
【請求項１４】
前記取得手段は、前記第２画素に対応する多値データと、前記第２生成手段によって生成された前記第２画素に対応する前記第２パラメータと、を更に取得し、
前記第１生成手段は、前記取得手段によって取得された前記第２画素に対応する前記多値データと前記第２パラメータとに基づいて、前記第２画素に対応する補正データを更に生成することを特徴とする請求項９から１３のいずれか１項に記載の画像処理装置。
【請求項１５】
前記記録ヘッドを更に有することを特徴とする請求項９から１４のいずれか１項に記載の画像処理装置。